(57)【要約】  本発明は、クロスフローファン２４を内装して筐体１０の下面から吸い込んだ空気を前方に吹出す第１通気路２１と、第１通気路２１の上方に配されるとともにシロッコファン３４を内装して筺体１０の前面から吸い込んだ空気をシロッコファン３４の排気側で分岐して両側方に吹出す第２通気路３１と、第１通気路２１の排気側に配される第１イオン発生器２５と、第２通気路３１の排気側にそれぞれ配される第２イオン発生器３５ａ、３５ｂとを備える。
2015111245.tif 000002
【特許請求の範囲】
【請求項１】
クロスフローファンを内装して筐体の下面から吸い込んだ空気を前方に吹出す第１通気路と、第１通気路の上方に配されるとともにシロッコファンを内装して前記筺体の前面から吸い込んだ空気を前記シロッコファンの排気側で分岐して両側方に吹出す第２通気路と、第１通気路の前記クロスフローファンに配される第１イオン発生器と、第２通気路の分岐した後の各経路にそれぞれ配される第２イオン発生器とを備えることを特徴とする空気調和機。
【請求項２】
第１通気路及び第２通気路は前方が下がる仕切壁を介して仕切られ、第１通気路から前方斜め下方に空気を吹出すことを特徴とする請求項１に記載の空気調和機。
【請求項３】
第１イオン発生器が前記仕切壁に開口した第１開口部を介して第１通気路内に突出して固定され、第１イオン発生器に電力を供給する第１コネクタが前記仕切壁上に設けた第１ガイド部の案内によりスライド可能に配され、第１コネクタをスライドして第１イオン発生器に接続されることを特徴とする請求項３に記載の空気調和機。
【請求項４】
前記筺体の前方に所定の隙間を介して配される遮蔽板が第２通気路の吸気口と対向して設けられ、第１通気路の吹出口が前記遮蔽板の下方に配されることを特徴とする請求項１〜請求項３のいずれかに記載の空気調和機。
【請求項５】
第２通気路の一壁面を形成するカバー部材を備え、第２イオン発生器が前記カバー部材に開口した第２開口部を介して第２通気路内に突出して固定され、第２イオン発生器に電力を供給する第２コネクタが前記カバー部材上に設けた第２ガイド部の案内によりスライド可能に配され、第２コネクタをスライドして第２イオン発生器に接続されることを特徴とする請求項１〜請求項４のいずれかに記載の空気調和機。
【発明の詳細な説明】
【技術分野】
【０００１】
本発明は、イオンを含む空気を吹出す空気調和機に関する。
【背景技術】
【０００２】
従来の空気調和機は特許文献１に開示されている。この空気調和機はクロスフローファンを内装した第１通気路と、シロッコファンを内装した第２通気路とを備える。第２通気路は筐体の背面に吸気口を開口し、該吸気口から吸い込んだ空気を後方上方に吹き出す。第１通気路は第２通気路の上方に配されて筐体の前面に吸気口を開口し、該吸気口から吸い込んだ空気を前方上方に吹き出す。第１通気路のクロスフローファンよりも下流にはイオンを発生するイオン発生器が配される。第２通気路のシロッコファンよりも上流には塵埃を捕集するＨＥＰＡフィルタが配される。【０００３】
シロッコファンとクロスフローファンの駆動により、第２通気路からＨＥＰＡフィルタで清浄された空気が上方斜め後方に吹出す。また、第１通気路からイオンを含む空気が上方斜め前方に吹出す。これにより、清浄化された空気とイオンを含む空気によって室内の殺菌等を効果的に行うことができる。
【先行技術文献】
【特許文献】
【０００４】
【特許文献１】特開２０１３−７２５８４号公報
【発明の概要】
【発明が解決しようとする課題】
【０００５】
上記従来の空気調和機によると、空気調和機の背面を室内の壁面に近づけて設置した場合、第２通気路の吸気口が塞がれて吸気量が低下し、空気清浄効率が低下する問題があった。また、シロッコファンに余分な負荷がかかり、消費電力が高くなる問題もあった。【０００６】
本発明は、壁面に接近して設置した際の空気清浄効率を向上するとともに消費電力を低減できる空気調和機を提供することを目的とする。
【課題を解決するための手段】
【０００７】
上記目的を達成するために本発明は、クロスフローファンを内装して筐体の下面から吸い込んだ空気を前方に吹出す第１通気路と、第１通気路の上方に配されるとともにシロッコファンを内装して前記筺体の前面から吸い込んだ空気を前記シロッコファンの排気側で分岐して両側方に吹出す第２通気路と、第１通気路の前記クロスフローファンに配される第１イオン発生器と、第２通気路の分岐した後の各経路にそれぞれ配される第２イオン発生器とを備えることを特徴としている。【０００８】
この構成によると、クロスフローファンにより筐体の下面から吸気された空気は第１イオン発生器から発生したイオンを含んで前方に吹出す。また、シロッコファンにより筐体の前面から吸気された空気は第２イオン発生器から発生したイオンを含んで両側方から吹出す。【０００９】
また、本発明は、第１通気路及び第２通気路は前方が下がる仕切壁を介して仕切られ、第１通気路から前方斜め下方に空気を吹出すことを特徴としている。【００１０】
また、本発明は、上記構成の空気調和機において、第１イオン発生器が前記仕切壁に開口した第１開口部を介して第１通気路内に突出して固定され、第１イオン発生器に電力を供給する第１コネクタが前記仕切壁上に設けた第１ガイド部の案内によりスライド可能に配され、第１コネクタをスライドして第１イオン発生器に接続されることを特徴としている。【００１１】
また、本発明は、上記構成の空気調和機において、前記筺体の前方に所定の隙間を介して配される遮蔽板が第２通気路の吸気口と対向して設けられ、第１通気路の吹出口が前記遮蔽板の下方に配されることを特徴としている。【００１２】
また、本発明は、上記構成の空気調和機において、第２通気路の一壁面を形成するカバー部材を備え、第２イオン発生器が前記カバー部材に開口した第２開口部を介して第２通気路内に突出して固定され、第２イオン発生器に電力を供給する第２コネクタが前記カバー部材上に設けた第２ガイド部の案内によりスライド可能に配され、第２コネクタをスライドして第２イオン発生器に接続されることを特徴としている。
【発明の効果】
【００１３】
本発明によると、第１通気路が筐体の下面から吸気してイオンを含む空気を前方に吹き出し、第２通気路が筐体の前面から吸気してイオンを含む空気を両側方に吹き出す。これにより、室内の広い範囲にイオンを送出できるとともに、空気調和機を室内の壁面に接近して設置しても吸気量の低下を防止できる。従って、空気調和機の空気清浄効率を向上するとともに消費電力を低減することができる。【００１４】
また、クロスフローファンによって筐体の下面から前面に気流を円滑に流通させる第１通気路を省スペースで形成でき、シロッコファンによって筐体の前面から両側方に気流を円滑に流通させる第２通気路を省スペースで形成できる。従って、室内の広い範囲にイオンを送出できる空気調和機の小型化を図ることができる。
【図面の簡単な説明】
【００１５】
【図１】本発明の実施形態に係る空気調和機の斜視図
【図２】本発明の実施形態に係る空気調和機の分解斜視図
【図３】本発明の実施形態に係る空気調和機の正面図
【図４】図３のＡ−Ａ断面図
【図５】本発明の実施形態に係る空気調和機の正面図
【図６】本発明の実施形態に係る空気調和機の背面カバーを下方から視た斜視図
【図７】本発明の実施形態に係る空気調和機の筐体の正面図
【図８】本発明の実施形態に係る空気調和機の第１イオン発生器の斜視図
【図９】本発明の実施形態に係る空気調和機の第１イオン発生器の取付け状態を示す正面断面図
【図１０】本発明の実施形態に係る空気調和機の第１イオン発生器の取付け状態を示す平面図
【図１１】図１０のＢ−Ｂ断面図
【図１２】本発明の実施形態に係る空気調和機の第２イオン発生器の取付け状態を示す平面図
【図１３】本発明の実施形態に係る空気調和機の遮蔽板の背面図
【図１４】本発明の実施形態に係る空気調和機の筐体を上方から示す斜視図
【発明を実施するための形態】
【００１６】
（第１実施例）
以下に本発明の実施形態の図面を参照して説明する。図１は第１実施形態に係る空気調和機１の斜視図であり、図２は空気調和機１の分解斜視図である。また、図３は空気調和機１の正面図であり、図４は図３中のＡーＡ断面図である。
【００１７】
空気調和機１は背面を覆う箱状の背面カバー１１の前面に前面カバー１３を配した直方体状の筐体１０を備えている。前面カバー１３は中央部に開口部３３ｃを開口し、前面カバー１３と背面カバー１１との間には開口部３３ｃを覆う仕切カバー１２が配される。前面カバー１３の前方には所定の隙間を介して開口部３３ｃを覆う遮蔽板１５が配される。
【００１８】
筐体１０の下部には脚部１０ａが脱着可能に取り付けられており、筐体１０の背面側を壁面に接近させて床面に設置される。なお、脚部１０ａを取り外して空気調和機１を壁面に掛けて使用してもよい。この場合、空気調和機１の背面と壁とが当接する。
【００１９】
前面カバー１３の開口部３３ｃの下方には第１吹出口３３ｄが設けられる。第１吹出口３３ｄは背面カバー１１の下部に設けた開口部１１ｄに面して配される。前面カバー１３の開口部３３ｃの両側方には第２吹出口３３ａ、３３ｂが設けられる。第２吹出口３３ａ、３３ｂは背面カバー１１の両側部に形成される開口部１１ａ、１１ｂにそれぞれ面して配される。
【００２０】
筐体１０の底面には背面カバー１１上に開口した第１吸気口２２が設けられる（図４参照）。筐体１０の前面中央部には開口部３３ｃに面して仕切カバー１２上に開口した第２吸気口３２が設けられる。
【００２１】
前面カバー１３の開口部３３ｃにはフィルタ１４が設けられている。フィルタ１４は前方から集塵フィルタ、脱臭フィルタ、ＨＥＰＡフィルタの順に積層して構成される。
【００２２】
集塵フィルタは通気中に含まれる比較的大きな塵埃を捕集する。脱臭フィルタは例えば、不織布に活性炭を分散保持させた構成であり、通気中の臭い成分を吸着、除去する。ＨＥＰＡフィルタは通気中に含まれる微細な塵埃を捕集する。従って、前面カバー１３の開口部３３ｃを通過した空気は、臭い成分が吸着、除去され、塵埃が捕集、除去されることによって浄化される。前面カバー１３の開口部３３ｃを通過した空気が第２吸気口３２に流入する。
【００２３】
第１吹出口３３ｄには上下方向に仕切る仕切板５１と、左右方向に仕切る第１風向ガイド板５２が設けられている。仕切板５１は前方に向かって下方へ傾斜して配されている。これにより、第１吹出口３３ｄから吹出す空気は前方下方に向かって吹き出す。
【００２４】
第２吹出口３３ａ、３３ｂには上下方向に延びる第２風向ガイド板５０が複数設けられ、第２風向ガイド板５０は前方に向かって側方へ傾斜して配されている。これにより、第２吹出口３３ａ、３３ｂから吹出す空気は前方側方に向かって吹き出す。
【００２５】
第１吹出口３３ｄから吹き出す空気の方向は第２吹出口３３ａ、３３ｂから吹き出す空気の方向と異なる。即ち、第１吹出口３３ｄから前方下方に向かって空気を吹き出し、第２吹出口３３ａ、３３ｂは第１吹出口３３ｄのさらに外側から前方側方に向かって空気を吹き出す。
【００２６】
筺体１０の内部には第１通気路２１及び第２通気路３１が区画されている（図４参照）。第２通気路３１は第１通気路２１の上方に配され、第１通気路２１と第２通気路３１とは背面カバー１１に設けた仕切壁４０を介して仕切られている。仕切壁４０上には第１通気路２１に臨む第１イオン発生器２５が取り付けられている。また、仕切壁４０は前方が下がって形成されている。これにより、仕切壁４０によって第１通気路２１を流通する気流は前方下方に案内され、第１吹出口３３ｄから吹き出される。したがって、筐体１０内に第１通気路２１及び第２通気路３１を近接して配置しても第１吹出口３３ｄから送出される気流第２吸気口３２に吸気されるショートカットを防止することができる。これにより、空気調和機１全体を小型化することができる。
【００２７】
また、遮蔽板１５が第２通気路３１の第２吸気口３２に対向して設けられ、第１通気路２１の第１吹出口３３ｄが遮蔽板１５の下方に配される。これにより、第１吹出口３３ｄから送出される気流が第２吸気口３２に吸気されるショートカットを遮蔽板１５によって更に防止することができる。
【００２８】
第１通気路２１は第１吸気口２２と第１吹出口３３ｄとを連通し、第１通気路２１の上壁が仕切壁４０で形成されている。第１吸気口２２にはプレフィルタ２８が枢支部２８ａによって回動可能に取り付けられている。プレフィルタ２８は押圧により爪（不図示）が外れてポップアップするように構成されている。
【００２９】
（第２実施例）
図５はプレフィルタ２８を開いた状態を示す空気調和機１の正面図である。プレフィルタ２８は例えば樹脂成形品の格子状の枠体にネットを固着して形成され、第１通気路２１へ流入する空気に含まれている粗い塵埃を捕集して除去する。プレフィルタ２８は前部を手指で押圧することによりポップアップして所定量開かれ、その後手指を掛けて回動させることにより図５に示すように全開する。これにより、プレフィルタ２８の清掃を前方から容易に行うことができる。また、開成時の勢いでプレフィルタ２８に付着した塵埃が拡散することを防止できる。
【００３０】
なお、プレフィルタ２８にダンパを設けてポップアップにより全開させてもよい。プレフィルタ３８を開く際の回動速度をダンパによって減速することができ、開成時の勢いでプレフィルタ２８に付着した塵埃が拡散することを防止できる。
【００３１】
第１通気路２１にはクロスフローファン２４が内装され、クロスフローファン２４の排気側に第１イオン発生器２５が設けられている。
【００３２】
クロスフローファン２４はファンモータ２４ａと羽根車２４ｂとを備える。ファン２４ｂの回転軸は空気調和機１の左右方向に配されており、羽根車２４ｂが回転することによって、第１吸気口２２を介して外気が第１通気路２１へ吸い込まれる。第１通気路２１に吸い込まれた空気は第１通気路２１を流通し、第１イオン発生器２５から放出されたイオンを含んで第１吹出口３３ｄから外部に吹出される。
【００３３】
（第３実施例）
図６は筐体１０の背面カバー１１を下方から視た斜視図であり、図７は筐体１０の正面図である。背面カバー１１には背壁上に立設されるリブ３８によって第２通気路３１が形成される。第２通気路３１は仕切カバー１２により一壁面である前壁を形成され、円形の中央部３１ｃから両側方に延びる分岐路３１ｄ、３１ｅが設けられる。第２吸気口３２に面した中央部３１ｃ内にシロッコファン３４が配され、分岐路３１ｄ、３１ｅはシロッコファン３４の排気側で分岐する。分岐路３１ｄ、３１ｅは仕切カバー１２よりも外側に延び、端部に前面を開放した開口部３３ａ、３３ｂが形成される。また、仕切カバー１２には分岐路３１ｄ、３１ｅに臨む後述する第２イオン発生器３５ａ、３５ｂがそれぞれ取り付けられる。
【００３４】
シロッコファン３４はファンモータ３４ａと羽根車３４ｂを備え、ファンモータ３４ａはファン３４ｂを回転駆動する。ファンモータ３４ａは背面カバー１１に固定されている（図４参照）。羽根車３４ｂが回転した場合、第２吸気口３２から第２通気路３１にファイ３４ｂに吸い込まれる。ファン３４ｂに吸い込まれた空気は両側方に分岐されて第２イオン発生器３５ａ、３５ｂから放出されたイオンを含んで第２吹出口３３ａ、３３ｂからそれぞれ外部に吹出される。
【００３５】
このとき、シロッコファン３４はクロスフローファン２４より送風量が多い。このため、シロッコファン３４の排気側で分岐して両側方に吹出す気流とクロスフローファン２４によって前方に吹出す気流により、空気調和機１の前方に多くのイオンが放出される。また、一つのシロッコファン３４で２つの通気路（分岐路３１ｄ、３１ｅ）を形成することにより、空気調和機１全体を小型化することができる。
【００３６】
（第４実施例）
図８、図９は第１イオン発生器２５の斜視図及び正面断面図を示している。なお、後述する第２イオン発生器３５ａ、３５ｂも第１イオン発生器２５と同様に構成される。第１イオン発生器２５は絶縁体から成るハウジング１２５により覆われる。ハウジング１２５内には駆動基板１２７及び電極基板１２７ａが収納される。
【００３７】
駆動基板１２７にはコネクタ部１２６及び高電圧発生回路１２８が実装される。コネクタ部１２６には電力供給するコネクタ２６が接続される。高電圧発生回路１２８は高電圧を発生する。
【００３８】
電極基板１２７ａには針状の放電電極１２１ａ及び放電電極１２１ｂが交互に複数並設される。また、電極基板１２７ａには放電電極１２１ａ、１２１ｂが挿通される開口部１２２ａを開口した金属板から成る誘導電極１２２が実装される。放電電極１２１ａ、１２１ｂの先端はハウジング１２５の外壁から突出し、ハウジング１２５と一体に設けたカバー部１２４の開口部１２４ａに臨む。
【００３９】
高電圧発生回路１２８により放電電極１２１ａと誘導電極１２２との間に正の高電圧が印加され、放電電極１２１ｂと誘導電極１２２との間に負の高電圧が印加される。これにより、放電電極１２１ａ、１２１ｂからコロナ放電し、放電電極１２１ａから発生する正イオンと放電電極１２１ｂから発生する負イオンとが開口部１２４ａを介して放出される。
【００４０】
即ち、一方の放電電極１２１ａに正電圧が印加されると、電離により発生するイオンが空気中の水分と結合して主としてＨ＋（Ｈ２Ｏ）ｍから成る電荷が正のクラスタイオンを発生する。放電電極１２１ｂに負電圧が印加されると、電離により発生するイオンが空気中の水分と結合して主としてＯ２−（Ｈ２Ｏ）ｎから成る電荷が負のクラスタイオンを発生する。ここで、ｍ、ｎは任意の自然数である。Ｈ＋（Ｈ２Ｏ）ｍ及びＯ２−（Ｈ２Ｏ）ｎは空気中の浮遊菌、及び臭い成分の表面で凝集してこれらを取り囲む。
【００４１】
そして、式（１）〜（３）に示すように、衝突により活性種である［・ＯＨ］（水酸基ラジカル）やＨ２Ｏ２（過酸化水素）を微生物等の表面上で凝集生成して浮遊菌等や臭い成分等を破壊する。ここで、ｍ’、ｎ’は任意の自然数である。従って、プラスイオン及びマイナスイオンを発生して第１通気路２１又は第２通気路３１を通過する気流に放出することにより、第１吹出口３３ｄ、第２吹出口３３ａ、３３ｂから吹出す空気により室内の殺菌、ウイルスの不活化及び臭い除去を行うことができる。
【００４２】
Ｈ＋(Ｈ２Ｏ)ｍ＋Ｏ２−(Ｈ２Ｏ)ｎ→・ＯＨ＋１／２Ｏ2＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  ２・ＯＨ＋Ｏ２＋(ｍ＋ｍ'＋ｎ＋ｎ')Ｈ２Ｏ  ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  Ｈ２Ｏ２＋Ｏ２＋(ｍ＋ｍ’＋ｎ＋ｎ')Ｈ２Ｏ  ・・・（３）
【００４３】
また、図１０は第１イオン発生器２５の取り付け状態を示す平面図であり、図１１は図１０のＢ−Ｂ断面図である。第１イオン発生器２５は仕切壁４０に設けられた第１開口部４２を介して第１通気路２１内に突出して固定される。このとき、第１イオン発生器２５の長手方向が左右方向に配され、放電電極１２１ａ、１２１ｂは気流に直交する方向に並べられる。また、ハウジング１２５の長手方向の一端に設けられた接続コネクタ１２６は第１通気路２１の外部に配され、第１イオン発生器２５に電力を供給する第１コネクタ２６と第１通気路２１の外部で接続される。第１コネクタ２６は仕切壁４０の外面側に設けた第１ガイド部２７の案内によりスライド可能に配される。具体的には図１１に示すように、第１コネクタ２６の両側方に設けられた凹部２７ａと第１コネクタ２６の両側面に設けられた凸部２６ａを摺動可能に嵌合させて第１コネクタ２６をスライドする。
【００４４】
これにより、第１イオン発生器２５をスライドさせずに、第１開口部４２内に固定することができる。第１イオン発生器２５をスライドさせるとスライド量に対応した開口部４２と第１イオン発生器２５との隙間が形成され、該隙間を塞ぐ遮蔽構造が必要になる。このため、コネクタ２６をスライドして第１イオン発生器２５を固定することにより、構造を簡素化して空気調和機１のコストを削減することができる。
【００４５】
また、第１開口部４２を介して第１通気路２１内に第１イオン発生器２５を突出して固定することで、ハウジング１２５が第１通気路２１の壁面から大きく突出して設けられるのを防ぎ、第１通気路２１内の気流に対して第１イオン発生器２５のハウジング１２５が与える空気抵抗を低減することができる。
【００４６】
図１２は第２イオン発生器３５ｂの取付け状態を示す平面図である。第２イオン発生器３５ｂは第１イオン発生器２５と同一であり、同様の取付け構造により固定されている。また、第２イオン発生器３５ａも第２イオン発生器３５ｂと同様の取付構造により固定される。
【００４７】
具体的には第２イオン発生器３５ｂは仕切カバー１２に設けられた第２開口部１２ｂを介して第２通気路３１内に突出して固定されている。また、第２イオン発生器３５ｂに電力を供給するコネクタ３６ｂが仕切カバー１２の前面側に設けた第２ガイド部３７ｂの案内によりスライド可能に配されている。これにより、コネクタ３６ｂをスライドして第２イオン発生器３５ｂに接続される。
【００４８】
したがって、第２イオン発生器３５ｂの構造を簡素化して空気調和機１のコストを削減することができる。また、第２開口部１２ｂを介して第２通気路３１内に第２イオン発生器３５ｂを突出して固定することで、ハウジング１２５が第２通気路３１の壁面から大きく突出して設けられるのを防ぎ、第２通気路３１内の気流に対して第２イオン発生器３５ｂのハウジング１２５が与える空気抵抗を低減することができる。また、第２イオン発生器３５ｂは長手方向を上下方向に配され、スライドしないため第２通気路３１の分岐路３１ｅの幅方向の略全体に亙って設置される。これにより、分岐路３１ｅを流通する気流に対して均一にイオンを含ませることができる。
【００４９】
（第５実施例）
図１３は遮蔽板１５の背面側を示す斜視図である。図１４は遮蔽板１５を外した状態を示す筐体１０の斜視図である。遮蔽板１５の背面側には一対の支持部１５ｂが設けられ、コ字型の支持棒１５ａの両端が支持部１５ｂに回転可能に支持されている。また、遮蔽板１５の背面下部の両側部には金属部材からなる金属部１５ｃが設けられ、背面上部の両側部には第１取付部１５ｄが設けられている。
【００５０】
前面カバー１３の前面下部の両側部にはマグネット５１ｃが設けられ、前面上部の両側には第２取付部５１ｄが設けられている。第１取付部１５ｄが第２取付部５１ｄに回動可能に係止されて遮断板１５が前カバー１３に枢支される。金属部１５ｃはマグネット５１ｃに磁着する。なお、第２取付部５１ｄは開口する開口部３３ｃの周縁から下方へ突出している。これにより、開口部３３ｃに収容するフィルタ１４を第２取付部５１ｄで押えて固定することができる。
【００５１】
金属部１５ｃをマグネット５１ｃから外すことにより、第１取付部１５ｄを支点にして遮蔽板１５を下方から開くことができる。また、支持棒１５ａを前面カバー１３の引掛け部５１ａに掛止めすることにより、遮蔽板１５を開いた状態を保つことができる。これにより、フィルタ１４等の取り外し作業及び第１イオン発生器２５、第２イオン発生器３５ａ、３５ｂの交換作業の利便性が向上する。
【００５２】
本実施形態によると、第１通気路２１が筐体１０の下面から吸気してイオンを含む空気を前方に吹き出し、第２通気路３１が筐体１０の前面から吸気してイオンを含む空気を両側方に吹き出す。これにより、室内の広い範囲にイオンを送出できるとともに、空気調和機１を室内の壁面に接近して設置しても吸気量の低下を防止できる。従って、空気調和機１の空気清浄効率を向上するとともに消費電力を低減することができる。
【００５３】
また、クロスフローファン２４によって筐体１０の下面から前面に気流を円滑に流通させる第１通気路２１を省スペースで形成でき、シロッコファン３４によって筐体１０の前面から両側方に気流を円滑に流通させる第２通気路３１を省スペースで形成できる。従って、室内の広い範囲にイオンを送出できる空気調和機１の小型化を図ることができる。
【００５４】
また、第１通気路２１及び第２通気路３１は前方に下がる仕切壁４０を介して仕切られ、第１通気路２１から前方斜め下方に空気を吹出す。これにより、筐体１０内に第１通気路２１及び第２通気路３１を近接して配置しても第１吹出口３３ｄから送出される気流が第２吸気口に吸気されるショートカットを防止することができる。したがって、空気調和機１全体を小型化することができる。
【００５５】
また、第１イオン発生器２５が仕切壁４０に開口した第１開口部４２を介して第１通気路２１内に突出して固定され、第１イオン発生器２５に電力を供給する第１コネクタ２６が仕切壁４０上に設けた第１ガイド部２７の案内によりスライド可能に配され、第１コネクタ２６をスライドして第１イオン発生器２５に接続される。これにより、第１イオン発生器２５をスライドさせずに、第１開口部４２内に固定することができる。第１イオン発生器２５をスライドさせるとスライド量に対応した開口部４２と第１イオン発生器２５との隙間が形成され、該隙間を塞ぐ遮蔽構造が必要になる。このため、コネクタ２６をスライドして第１イオン発生器２５を固定することにより、構造を簡素化して空気調和機１のコストを削減することができる。また、第１開口部４２を介して第１通気路２１内に第１イオン発生器２５を突出して固定することで、ハウジング１２５が第１通気路２１の壁面から大きく突出して設けられるのを防ぎ、第１通気路２１内の気流に対して第１イオン発生器２５のハウジング１２５が与える空気抵抗を低減することができる。
【００５６】
筺体１０の前方に所定の隙間を介して配される遮蔽板１５が第２通気路３１の第２吸気口３２と対向して設けられ、第１通気路２１の吹出口３３ｄが遮蔽板１５の下方に配される。これにより、第１吹出口３３ｄから送出される気流が第２吸気口３２に吸気されるショートカットを遮蔽板１５により更に防止することができる。
【００５７】
また、第２通気路３１の一壁面を形成するカバー部材１２を備え、第２イオン発生器３５ｂがカバー部材１２に開口した第２開口部１２ｂを介して第２通気路３１内に突出して固定され、第２イオン発生器３５ｂに電力を供給する第２コネクタ３６ｂがカバー部材１２上に設けた第２ガイド部３７ｂの案内によりスライド可能に配され、第２コネクタ３６ｂをスライドして第２イオン発生器３５ｂに接続される。第１イオン発生器２５及び第２イオン発生器３５ａ、３５ｂを同一の取付け構造により固定することで、第１イオン発生器２５と同様の効果が得られるとともに取付け作業の利便性が向上する。また、第２イオン発生器３５ｂは長手方向を上下方向に配され、スライドしないため第２通気路３１の分岐路３１ｄ、３１ｅの幅方向の略全体に亙って設置される。これにより、分岐路３１ｄ、３１ｅを流通する気流に対して均一にイオンを含ませることができる。
【００５８】
また、シロッコファンの前方に塵埃を捕集するＨＥＰＡフィルタを配したことにより、シロッコファンに流入する空気に含まれる微細な塵埃を捕集、除去することができる。
【産業上の利用可能性】
【００５９】
本発明によると、空気清浄機に利用することができる。
【符号の説明】
【００６０】
１                      空気調和機
１０                    筐体
１１                    背面カバー
１１ａ、１１ｂ、１１ｄ  開口部
１２                    仕切カバー
１３                    前面カバー
１４                    フィルタ
１５                    遮蔽板
２１                    第１通気路
２２                    第１吸気口
２４                    クロスフローファン
２５                    第１イオン発生器
２６                    第１コネクタ
２７                    第１ガイド部
２８                    プレフィルタ
３１                    第２通気路
３２                    第２吸気口
３３ａ、３３ｂ          第２吹出口
３３ｄ                  第１吹出口
３４                    クロスフローファン
３５ａ、３５ｂ          第２イオン発生器
３６ｂ                  第２コネクタ
３７ｂ                  第２ガイド部
【図１】
2015111245.tif 000003
【図２】
2015111245.tif 000004
【図３】
2015111245.tif 000005
【図４】
2015111245.tif 000006
【図５】
2015111245.tif 000007
【図６】
2015111245.tif 000008
【図７】
2015111245.tif 000009
【図８】
2015111245.tif 000010
【図９】
2015111245.tif 000011
【図１０】
2015111245.tif 000012
【図１１】
2015111245.tif 000013
【図１２】
2015111245.tif 000014
【図１３】
2015111245.tif 000015
【図１４】
2015111245.tif 000016
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
クロスフローファンを内装して筐体の下面から吸い込んだ空気を前方に吹出す第１通気路と、第１通気路の上方に配されるとともにシロッコファンを内装して前記筺体の前面から吸い込んだ空気を前記シロッコファンの排気側で分岐して両側方に吹出す第２通気路と、第１通気路の前記クロスフローファンに配される第１イオン発生器と、第２通気路の分岐した後の各経路にそれぞれ配される第２イオン発生器とを備えることを特徴とする空気調和機。
【請求項２】
第１通気路及び第２通気路は前方が下がる仕切壁を介して仕切られ、第１通気路から前方斜め下方に空気を吹出すことを特徴とする請求項１に記載の空気調和機。
【請求項３】
第１イオン発生器が前記仕切壁に開口した第１開口部を介して第１通気路内に突出して固定され、第１イオン発生器に電力を供給する第１コネクタが前記仕切壁上に設けた第１ガイド部の案内によりスライド可能に配され、第１コネクタをスライドして第１イオン発生器に接続されることを特徴とする請求項２に記載の空気調和機。
【請求項４】
前記筺体の前方に所定の隙間を介して配される遮蔽板が第２通気路の吸気口と対向して設けられ、第１通気路の吹出口が前記遮蔽板の下方に配されることを特徴とする請求項１〜請求項３のいずれかに記載の空気調和機。
【請求項５】
第２通気路の一壁面を形成するカバー部材を備え、第２イオン発生器が前記カバー部材に開口した第２開口部を介して第２通気路内に突出して固定され、第２イオン発生器に電力を供給する第２コネクタが前記カバー部材上に設けた第２ガイド部の案内によりスライド可能に配され、第２コネクタをスライドして第２イオン発生器に接続されることを特徴とする請求項１〜請求項４のいずれかに記載の空気調和機。
【手続補正２】
【補正対象書類名】明細書
【補正対象項目名】００３４
【補正方法】変更
【補正の内容】
【００３４】
シロッコファン３４はファンモータ３４ａと羽根車３４ｂを備え、ファンモータ３４ａは羽根車３４ｂを回転駆動する。ファンモータ３４ａは背面カバー１１に固定されている（図４参照）。羽根車３４ｂが回転した場合、第２吸気口３２から第２通気路３１を通って羽根車３４ｂに吸い込まれる。羽根車３４ｂに吸い込まれた空気は両側方に分岐されて第２イオン発生器３５ａ、３５ｂから放出されたイオンを含んで第２吹出口３３ａ、３３ｂからそれぞれ外部に吹出される。
【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
クロスフローファンを内装するとともに下部に脱着可能な脚部が設けられた筐体の下面から吸い込んだ空気を前方に吹出す第１通気路と、第１通気路の上方に配されるとともにシロッコファンを内装して前記筺体の前面から吸い込んだ空気を前記シロッコファンの排気側で分岐して両側方に吹出す第２通気路と、第１通気路の前記クロスフローファンに配される第１イオン発生器と、第２通気路の分岐した後の各経路にそれぞれ配される第２イオン発生器とを備えることを特徴とする空気調和機。
【請求項２】
第１通気路及び第２通気路は前方が下がる仕切壁を介して仕切られ、第１通気路から前方斜め下方に空気を吹出すことを特徴とする請求項１に記載の空気調和機。
【請求項３】
第１イオン発生器が前記仕切壁に開口した第１開口部を介して第１通気路内に突出して固定され、第１イオン発生器に電力を供給する第１コネクタが前記仕切壁上に設けた第１ガイド部の案内によりスライド可能に配され、第１コネクタをスライドして第１イオン発生器に接続されることを特徴とする請求項２に記載の空気調和機。
【請求項４】
前記筺体の前方に所定の隙間を介して配される遮蔽板が第２通気路の吸気口と対向して設けられ、第１通気路の吹出口が前記遮蔽板の下方に配されることを特徴とする請求項１〜請求項３のいずれかに記載の空気調和機。
【請求項５】
第２通気路の一壁面を形成するカバー部材を備え、第２イオン発生器が前記カバー部材に開口した第２開口部を介して第２通気路内に突出して固定され、第２イオン発生器に電力を供給する第２コネクタが前記カバー部材上に設けた第２ガイド部の案内によりスライド可能に配され、第２コネクタをスライドして第２イオン発生器に接続されることを特徴とする請求項１〜請求項４のいずれかに記載の空気調和機。
【国際調査報告】
2015111245.tif 000017
2015111245.tif 000018
2015111245.tif 000019
2015111245.tif 000020